(57)【要約】      （修正有）【課題】太陽光エネルギーを利用して電動車椅子のバッテリーに電力を自動的に充電できるようにする。あわせて風雨時にも快適な搭乗走行ができるようにする。【解決手段】電動車椅子１１に枠体１９を設け、この枠体に傾き角調節可能な太陽電池パネル３１を取り付けて太陽電池パネル面を太陽方向に向けることができるようにしたこと、及び上記枠体に開閉可能なフードを取付けて電動車椅子搭乗者に風雨があたらないようにしたことを特徴とする。【選択図】図１
0003116592.tif 000002
【実用新案登録請求の範囲】
【請求項１】
電動車椅子であって、
これを覆う側面に開閉部をもつフードと、フードの枠体の外上部に取り付ける太陽電池パネルよりなる電動車椅子。
【請求項２】
前記太陽電池パネルの傾き角を可変可能にしたことを特徴とする請求項１記載の電動車椅子。
【考案の詳細な説明】
【技術分野】
【０００１】  本考案は、バッテリーに充電した電気エネルギーで車輪に動力を伝えるモーターを駆動する構造を有する電動車椅子に関する。
【背景技術】
【０００２】  現在、自動車製造会社等で製造・販売されている電動車椅子は、車椅子の利用者あるいはその家族の者が家庭用電源コンセントと電動車椅子との間をコードで接続してバッテリーの充電を行うようになっている。【０００３】  太陽電池パネルを取り付けた乗用車としては、太陽電池パネルで車体表面またはその一部分を覆い、太陽光発電で得た電力をバッテリーに蓄えて、バッテリーから車輪駆動用モーターに所用電力を供給しているソーラーカーは実現しているが、それらは競技用あるいは自動車製造業者の宣伝に用いられるものであって、一般の人の使用に供されているものはない。【０００４】  太陽電池パネルを備えた電動車椅子はまだ市販されていないが、下記に示した特許文献１に発表されている。しかし、この発明品では太陽電池パネルは電動車椅子の上部に固定されているので高い発電効率を得ることができない。【０００５】  また、市販されている電動車椅子はフードがないため風雨時や冬季の搭乗走行は高齢者や身障者にとって辛いものとなる。【０００６】  なお、本願考案に関連する公知技術として次の特許文献１と非特許文献１を挙げることができる。【０００７】
【特許文献１】  特開２００４−１６７０２２号公報
【非特許文献】  「ソーラー電気自動車のおはなし」、第８３頁〜第９０頁、出版社日本規格協会    著者  藤中正治
【考案の開示】
【考案が解決しようとする課題】
【０００８】  前述の如く、現在市販されている電動車椅子は、走行に必要な電気エネルギーをバッテリーに充電するために、家庭用電源コンセントと電動車椅子との間をコードで接続しなければならないようになっている。【０００９】  このため、屋外に家庭用電源コンセントがない住宅や、高層住宅に住む高齢者や身障者およびその家族にとって、電動車椅子のバッテリー充電操作は面倒であって不便を感じている。また、電動車椅子のバッテリー充電を忘れて乗りたいときに乗れないことがあるといった問題も生じている。【００１０】  また、電動車椅子はフードがないため、これを使用する高齢者や身障者にとって、風雨時や冬季の搭乗走行は辛いものとなるといった問題も生じている。【００１１】  本考案は、このような点に鑑みて成されたものであり、その第一の目的は、太陽光エネルギーを利用して電動車椅子のバッテリーに自動的、かつ効率的に充電できるようにすることにある。【００１２】  本考案の第二の目的は、電動車椅子にフードを装備して、風雨時や冬季にも快適な搭乗走行ができるようにすることにある。
【課題を解決するための手段】
【００１３】  上述の目的を達成する本考案の電動車椅子は、市販の電動車椅子に太陽電池パネルの支持機構を取り付けて、電動車椅子の搭乗者の頭上に太陽電池パネルを装備するようにしたこと、および上記の支持機構にフードを装備したことをを特徴とする。【００１４】  一例として、前記太陽電池パネルは、手動で傾き角を調節してパネル面を太陽方向に向けることができるよう前記太陽電池パネルの支持機構に取り付けられる。
【考案の効果】
【００１５】  以上説明したように、本考案による電動車椅子を日当たりのよい場所に駐車して、太陽電池パネルを正午の太陽方向を向くように傾けておけば、高い発電効率で自動的にバッテリー充電が行われるようになり、電動車椅子の利用者にとって極めて便利となるという効果がある。
【考案を実施するための最良の形態】
【００１６】  以下、本考案の実施の形態を図面に基づき詳細に説明する。【００１７】  図１〜図３は本考案の実施の形態に係り、図１はその外観斜視図、図２はその太陽電池パネルの取り付け及びパネル傾き角調節部分の構造図、図３はその電気回路図である。【００１８】  図１に示すように、本電動車椅子１１は、現在製市販されている太陽電池パネルをもたない電動車椅子１２に、運転席を覆うように枠体１９を取り付け、その上部に太陽電池パネル３１を取り付けた枠体２４を２つの蝶番２３で結合して太陽電池パネルを傾けることができるようにしている。なお、本考案による電動車椅子１１は前部を東に向けて駐車して太陽電池パネルを太陽の南中方向に向けるようにしている。【００１９】  また、風雨時や冬季にも搭乗者が快適に走行することができるよう、図１に示すように、枠体１９の前部に透明アクリル板２７で、上面と側面を透明ビニールシート２８で覆っている。さらに、乗降時には左側面を覆う透明ビニールシートを蝶番２９とマジックテープ３０で着脱できるようにしている。【００２０】  図２は太陽電池パネル３１の傾き角を調節する機構の構成を示す図である。図１に示すように、運転席を覆う枠体１９は梁２０をもつ。また、図２に示すように、太陽電池パネル３１を支持する枠体２４にも数個の穴をもつ梁２５を設けている。【００２１】  前述の梁２０には支点２１が取り付けてあって、この支点を回転軸とする逆Ｌ字状の棒２２をもつ。図２に示すように、この棒２２の先端を前述の梁２５の穴のいずれかに挿し込むことによって太陽電池パネル３１の傾き角を調節できるようにしている。例えば、太陽の南中高度が高い夏には「夏」と表示してある穴に棒２２の先端を挿し込めば太陽電池パネル３１の傾き角は小さく、また、「冬」と表示してある穴に棒２２の先端を挿し込めば傾き角は大きくなって、季節に関係なく太陽電池パネル３１の受光面に対して、有利な太陽光照射角とすることによって、大きい太陽光発電電力が得られるようにしている。【００２２】  電動車椅子に搭乗して走行する場合や強風時には太陽電池パネル３１を閉じる。このとき、棒２２の先端を梁２０の「閉」と表示してある穴に挿し込んで、太陽電池パネル３１を支持する枠体２４を閉じて、留め金２６で枠体２４を前述の枠体１９に合体させることができるようにしている。【００２３】  図３は本電動車椅子１１に係る電気回路図である。太陽電池パネル３１は太陽光を受光して発電して、この発電電力で電動車椅子１２に内蔵されているバッテリー１３を充電するようにしている。ダイオード３２はバッテリー１３から太陽電池パネル３１への電流の逆流を阻止して太陽電池パネル３１の損傷を防止する。バッテリーに蓄えられた電力はコントローラ１４を介してモーター１５を駆動する。【００２４】  コントローラ１４は電動車椅子１２に内蔵されていて、充電電力量の表示や搭乗者の運転操作に対応してモーター１５に流れる電流の向きや大きさを制御して、前・後進の切り替えや走行速度制御を行う機能をもつ。モーター１５の回転は差動機１６を介して左右の後輪１７及び１８に伝えられる。
【実施例】
【００２５】  太陽電池パネル３１は、市販の標準的な電動車椅子の大きさに合わせて、長さ８００ｍｍ×幅５００ｍｍの寸法を有する長方形の形状とし、市販の標準的な電動車椅子のバッテリーの定格電圧２４Ｖに合わせて定格発電電圧３０Ｖの太陽電池パネルを採用している。また、太陽電池パネルの傾き角を冬季は５８度、春季と秋季は３５度、夏季は１３度に、走行時及び強風時には０度に設定できるようにしている。【００２６】  さらに図１に示すように、本実施例では、電動車椅子の利用者である高齢者が風雨時にも快適な走行ができるようにするために、前記枠体１９の前面を透明アクリル板で、上部と側面及び後面を透明ビニールシートで覆っている。また、本実施例では、電動車椅子の利用者が電動車椅子に搭乗または下車する際に左側面を覆っているビニールシートを容易に開閉することができるようにしている。【００２７】  以上、本考案の実施の形態及び実施例を説明したが、本考案の範囲はこれに限定されるものではない。例えば、太陽電池パネルの寸法形状、太陽電池パネルを電動車椅子の上部に取り付けるための枠体あるいは支柱の形状や構造、太陽電池パネルの傾き角を調節するための機構部分の構造も任意に選定することができる。また、太陽電池パネルを自動的に太陽の方向に向けることができるようにした構造の装置を採用した電動車椅子とすることもできる。
【産業上の利用可能性】
【００２８】  本考案は太陽電池利用環境配慮型電動車椅子を製造、あるいは太陽電池パネルをもたない電動車椅子の太陽電池パネル利用型への改造を行う産業分野で利用することができる。
【図面の簡単な説明】
【００２９】
【図１】  本考案の実施の形態に係る電動車椅子の外観斜視図である。
【図２】  図１の太陽電池パネルの電動車椅子への取り付け及び傾き角調節機構の外観斜視図である。
【図３】  太陽電池パネルで発電した電力を電動車椅子のバッテリーに充電するための電気接続を示す電気回路図である。
【符号の説明】
【００３０】  １１、        電動車椅子
１２、        市販の電動車椅子
１３、        バッテリー
１４、        コントローラ
１５、        モーター
１６、        差動機
１７、        左後輪
１８、        右後輪
１９、        枠体
２０、        梁
２１、        支点
２２、        逆Ｌ字状の棒
２３、        蝶番
２４、        太陽電池パネル支持用枠体
２５、        太陽電池パネル支持用枠体に取り付けた梁
２６、        留め金
２７、        透明アクリル板
２８、        透明ビニールシート
２９、        蝶番
３０、        マジックテープ
３１、        太陽電池パネル
３２、        ダイオード
３３、        バックミラー
【図１】
0003116592.tif 000003
【図２】
0003116592.tif 000004
【図３】
0003116592.tif 000005